(57)【特許請求の範囲】
【請求項１】
情報処理端末と、
前記情報処理端末と通信可能であって、前記情報処理端末からの指示に応じて動画を撮像する撮像装置と、
を有し、
前記情報処理端末は、
前記撮像装置に対して動画の撮像を停止するように指示する停止指示部と、
前記停止指示部が停止指示を行うことに応じて、前記撮像装置によって撮像された動画から抽出され、前記動画における時間に関する情報である時間情報を含む複数の表示用静止画を取得する表示用静止画取得部と、
前記表示用静止画取得部によって取得された前記複数の表示用静止画の一覧を表示する表示部と、
前記表示部によって表示された前記複数の表示用静止画から少なくとも１つの表示用静止画を選択する選択部と、
前記選択部によって選択された前記表示用静止画に関する時間情報に基づいて、選択時間情報を含む選択の履歴を記録する履歴記録部と、  
前記履歴記録部によって記録された履歴に応じて、選択された頻度の高い前記選択時間情報に対応する時間における時間間隔が、選択された頻度の低い前記選択時間情報に対応する時間における時間間隔よりも短くなるように、前記表示用静止画取得部によって取得されるべき表示用静止画それぞれに対応する、前記動画における時間軸上の位置を決定する取得位置決定部と
を有し、
前記表示用静止画取得部は、前記取得位置決定部によって決定された位置に対応する表示用静止画を取得する動画撮像システム。
【請求項２】
前記取得位置決定部は、選択された頻度の低い前記選択時間情報に対応する時間における時間間隔が、前記選択時間情報が記録されていないときの時間間隔と比較して長くなるように、前記動画における時間軸上の位置を決定する
請求項１に記載の動画撮像システム。
【請求項３】
前記取得位置決定部は、選択された頻度の低い前記選択時間情報に対応する時間における時間間隔が、前記選択時間情報が記録されていないときの時間間隔と略同じとなるように、前記動画における時間軸上の位置を決定する
請求項１に記載の動画撮像システム。
【請求項４】
前記表示部は、選択された頻度の高い前記選択時間情報に対応する前記表示用静止画が、選択された頻度の低い前記選択時間情報に対応する前記表示用静止画よりも大きくなるように、前記複数の表示用静止画を表示する
請求項１から３のいずれか１項に記載の動画撮像システム。
【請求項５】
撮像装置に対して動画の撮像を停止するように指示する停止指示部と、
前記停止指示部が停止指示を行うことに応じて、前記撮像装置によって撮像された動画から抽出され、前記動画における時間に関する情報である時間情報を含む複数の表示用静止画を取得する表示用静止画取得部と、
前記表示用静止画取得部によって取得された前記複数の表示用静止画の一覧を表示する表示部と、
前記表示部によって表示された前記複数の表示用静止画から少なくとも１つの表示用静止画を選択する選択部と、
前記選択部によって選択された前記表示用静止画に関する時間情報に基づいて、選択時間情報を含む選択の履歴を記録する履歴記録部と、
前記履歴記録部によって記録された履歴に応じて、選択された頻度の高い前記選択時間情報に対応する時間における時間間隔が、選択された頻度の低い前記選択時間情報に対応する時間における時間間隔よりも短くなるように、前記表示用静止画取得部によって取得されるべき表示用静止画それぞれに対応する、前記動画における時間軸上の位置を決定する取得位置決定部と
を有し、
前記表示用静止画取得部は、前記取得位置決定部によって決定された位置に対応する表示用静止画を取得する情報処理端末。
【請求項６】
動画を撮像する撮像部と、
前記撮像部に対して動画の撮像を停止するように指示する停止指示部と、
前記停止指示部が停止指示を行うことに応じて、前記撮像部によって撮像された動画から抽出され、前記動画における時間に関する情報である時間情報を含む複数の表示用静止画を取得する表示用静止画取得部と、
前記表示用静止画取得部によって取得された前記複数の表示用静止画の一覧を表示する表示部と、
前記表示部によって表示された前記複数の表示用静止画から少なくとも１つの表示用静止画を選択する選択部と、
前記選択部によって選択された前記表示用静止画に関する時間情報に基づいて、選択時間情報を含む選択の履歴を記録する履歴記録部と、
前記履歴記録部によって記録された履歴に応じて、選択された頻度の高い前記選択時間情報に対応する時間における時間間隔が、選択された頻度の低い前記選択時間情報に対応する時間における時間間隔よりも短くなるように、前記表示用静止画取得部によって取得されるべき表示用静止画それぞれに対応する、前記動画における時間軸上の位置を決定する取得位置決定部と
を有し、
前記表示用静止画取得部は、前記取得位置決定部によって決定された位置に対応する表示用静止画を取得する動画撮像システム。
【請求項７】
動画を撮像する撮像装置に対して動画の撮像を停止するように指示するステップと、
停止指示を行うことに応じて、前記撮像装置によって撮像された動画から抽出され、前記動画における時間に関する情報である時間情報を含む複数の表示用静止画を取得するステップと、
前記取得された前記複数の表示用静止画の一覧を表示するステップと、
前記表示された前記複数の表示用静止画から少なくとも１つの表示用静止画を選択するステップと、
前記選択された前記表示用静止画に関する時間情報に基づいて、選択時間情報を含む選択の履歴を記録する履歴ステップと、  
前記履歴ステップによって記録された履歴に応じて、選択された頻度の高い前記選択時間情報に対応する時間における時間間隔が、選択された頻度の低い前記選択時間情報に対応する時間における時間間隔よりも短くなるように、前記表示用静止画を取得するステップによって取得されるべき表示用静止画それぞれに対応する、前記動画における時間軸上の位置を決定する取得位置決定ステップと
を有し、
前記表示用静止画を取得するステップは、前記取得位置決定ステップによって決定された位置に対応する表示用静止画を取得することを特徴とする動画確認方法。
【請求項８】
動画を撮像する撮像装置に対して動画の撮像を停止するように指示するステップと、
停止指示を行うことに応じて、前記撮像装置によって撮像された動画から抽出され、前記動画における時間に関する情報である時間情報を含む複数の表示用静止画を取得するステップと、
前記取得された前記複数の表示用静止画の一覧を表示するステップと、
前記表示された前記複数の表示用静止画から少なくとも１つの表示用静止画を選択するステップと、
前記選択された前記表示用静止画に関する時間情報に基づいて、選択時間情報を含む選択の履歴を記録する履歴ステップと、  
前記履歴ステップによって記録された履歴に応じて、選択された頻度の高い前記選択時間情報に対応する時間における時間間隔が、選択された頻度の低い前記選択時間情報に対応する時間における時間間隔よりも短くなるように、前記表示用静止画を取得するステップによって取得されるべき表示用静止画それぞれに対応する、前記動画における時間軸上の位置を決定する取得位置決定ステップとをコンピュータに実行させるプログラムであって、
前記表示用静止画を取得するステップは、前記取得位置決定ステップによって決定された位置に対応する表示用静止画を取得することを特徴とするプログラム。
【発明の詳細な説明】
【技術分野】
【０００１】
本発明は動画撮像システム、情報処理端末、動画確認方法及びプログラムに関する。
【背景技術】
【０００２】
撮像された動画からサムネイル等の静止画を生成する技術がある。この技術に関連し、特許文献１には、動画の撮像直後のユーザの記憶が鮮明なうちに、録画された動画の内容を的確にユーザに提示する情報処理装置が開示されている。特許文献１にかかる情報処理装置は、動画像を時分割した各区間を代表する複数のサムネイル画像を生成するサムネイル生成制御部と、複数のサムネイル画像を時系列に応じて配列した確認画面を表示部に表示させる表示制御部とを備える。
【０００３】
また、特許文献２には、ハイライトシーン動画像から静止画像を自動抽出するとき、重要なシーンの静止画を確実に生成する装置が開示されている。特許文献２にかかる装置は、カメラで撮影した映像から該当するハイライトシーン動画像を切り出す。そして、この装置は、次に動画像の中から指定した切り出し密度で静止画像を切り出す際、特定時刻付近での切り出し密度を高密度に設定することにより、重要なシーンをハイライト静止画像として抽出する。
【先行技術文献】
【特許文献】
【０００４】
【特許文献１】特開２０１４−  ９０４９９号公報
【特許文献２】特開２００５−１９１７７０号公報
【発明の概要】
【発明が解決しようとする課題】
【０００５】
例えばスポーツの試合又は練習等において、その動画を撮像装置で撮像し、撮像装置で撮像した動画の内容をその場で確認することがある。ここで、スポーツの試合又は練習等においては、動画の内容を確認する時間が限られていることが多い。このような場合、撮像した動画内で視聴したいシーンを短時間で探すことが求められる。
【０００６】
上記課題に鑑み、本発明の目的は、動画を撮像した後、ユーザが視聴したいシーンを短時間で探すことが可能な動画撮像システム、情報処理端末、動画確認方法及びプログラムを提供することである。
【課題を解決するための手段】
【０００７】
そこで、本発明は、情報処理端末と、前記情報処理端末と通信可能であって、前記情報処理端末からの指示に応じて動画を撮像する撮像装置と、を有し、前記情報処理端末は、前記撮像装置に対して動画の撮像を停止するように指示する停止指示部と、前記停止指示部が停止指示を行うことに応じて、前記撮像装置によって撮像された動画から抽出され、前記動画における時間に関する情報である時間情報を含む複数の表示用静止画を取得する表示用静止画取得部と、前記表示用静止画取得部によって取得された前記複数の表示用静止画の一覧を表示する表示部と、前記表示部によって表示された前記複数の表示用静止画から少なくとも１つの表示用静止画を選択する選択部と、前記選択部によって選択された前記表示用静止画に関する時間情報に基づいて、選択時間情報を含む選択の履歴を記録する履歴記録部と、前記履歴記録部によって記録された履歴に応じて、選択された頻度の高い前記選択時間情報に対応する時間における時間間隔が、選択された頻度の低い前記選択時間情報に対応する時間における時間間隔よりも短くなるように、前記表示用静止画取得部によって取得されるべき表示用静止画それぞれに対応する、前記動画における時間軸上の位置を決定する取得位置決定部とを有し、前記表示用静止画取得部は、前記取得位置決定部によって決定された位置に対応する表示用静止画を取得する動画撮像システム
を提供する。
【０００８】
また、本発明は、撮像装置に対して動画の撮像を停止するように指示する停止指示部と、  前記停止指示部が停止指示を行うことに応じて、前記撮像装置によって撮像された動画から抽出され、前記動画における時間に関する情報である時間情報を含む複数の表示用静止画を取得する表示用静止画取得部と、前記表示用静止画取得部によって取得された前記複数の表示用静止画の一覧を表示する表示部と、前記表示部によって表示された前記複数の表示用静止画から少なくとも１つの表示用静止画を選択する選択部と、前記選択部によって選択された前記表示用静止画に関する時間情報に基づいて、選択時間情報を含む選択の履歴を記録する履歴記録部と、前記履歴記録部によって記録された履歴に応じて、選択された頻度の高い前記選択時間情報に対応する時間における時間間隔が、選択された頻度の低い前記選択時間情報に対応する時間における時間間隔よりも短くなるように、前記表示用静止画取得部によって取得されるべき表示用静止画それぞれに対応する、前記動画における時間軸上の位置を決定する取得位置決定部とを有し、前記表示用静止画取得部は、前記取得位置決定部によって決定された位置に対応する表示用静止画を取得する情報処理端末を提供する。
【０００９】
また、本発明は、動画を撮像する撮像部と、前記撮像部に対して動画の撮像を停止するように指示する停止指示部と、前記停止指示部が停止指示を行うことに応じて、前記撮像部によって撮像された動画から抽出され、前記動画における時間に関する情報である時間情報を含む複数の表示用静止画を取得する表示用静止画取得部と、前記表示用静止画取得部によって取得された前記複数の表示用静止画の一覧を表示する表示部と、前記表示部によって表示された前記複数の表示用静止画から少なくとも１つの表示用静止画を選択する選択部と、前記選択部によって選択された前記表示用静止画に関する時間情報に基づいて、選択時間情報を含む選択の履歴を記録する履歴記録部と、前記履歴記録部によって記録された履歴に応じて、選択された頻度の高い前記選択時間情報に対応する時間における時間間隔が、選択された頻度の低い前記選択時間情報に対応する時間における時間間隔よりも短くなるように、前記表示用静止画取得部によって取得されるべき表示用静止画それぞれに対応する、前記動画における時間軸上の位置を決定する取得位置決定部とを有し、前記表示用静止画取得部は、前記取得位置決定部によって決定された位置に対応する表示用静止画を取得する動画撮像システムを提供する。
【００１０】
また、本発明は、動画を撮像する撮像装置に対して動画の撮像を停止するように指示するステップと、停止指示を行うことに応じて、前記撮像装置によって撮像された動画から抽出され、前記動画における時間に関する情報である時間情報を含む複数の表示用静止画を取得するステップと、前記取得された前記複数の表示用静止画の一覧を表示するステップと、前記表示された前記複数の表示用静止画から少なくとも１つの表示用静止画を選択するステップと、前記選択された前記表示用静止画に関する時間情報に基づいて、選択時間情報を含む選択の履歴を記録する履歴ステップと、前記履歴ステップによって記録された履歴に応じて、選択された頻度の高い前記選択時間情報に対応する時間における時間間隔が、選択された頻度の低い前記選択時間情報に対応する時間における時間間隔よりも短くなるように、前記表示用静止画を取得するステップによって取得されるべき表示用静止画それぞれに対応する、前記動画における時間軸上の位置を決定する取得位置決定ステップとを有し、前記表示用静止画を取得するステップは、前記取得位置決定ステップによって決定された位置に対応する表示用静止画を取得することを特徴とする動画確認方法を提供する。
【００１１】
また、動画を撮像する撮像装置に対して動画の撮像を停止するように指示するステップと、  停止指示を行うことに応じて、前記撮像装置によって撮像された動画から抽出され、前記動画における時間に関する情報である時間情報を含む複数の表示用静止画を取得するステップと、  前記取得された前記複数の表示用静止画の一覧を表示するステップと、前記表示された前記複数の表示用静止画から少なくとも１つの表示用静止画を選択するステップと、  前記選択された前記表示用静止画に関する時間情報に基づいて、選択時間情報を含む選択の履歴を記録する履歴ステップと、前記履歴ステップによって記録された履歴に応じて、選択された頻度の高い前記選択時間情報に対応する時間における時間間隔が、選択された頻度の低い前記選択時間情報に対応する時間における時間間隔よりも短くなるように、前記表示用静止画を取得するステップによって取得されるべき表示用静止画それぞれに対応する、前記動画における時間軸上の位置を決定する取得位置決定ステップとをコンピュータに実行させるプログラムであって、  前記表示用静止画を取得するステップは、前記取得位置決定ステップによって決定された位置に対応する表示用静止画を取得することを特徴とするプログラムを提供する。
【発明の効果】
【００１２】
本発明によれば、動画を撮像した後、ユーザが視聴したいシーンを短時間で探すことが可能な動画撮像システム、情報処理端末、動画確認方法及びプログラムを提供することができる。
【図面の簡単な説明】
【００１３】
【図１】実施の形態１にかかる動画撮像システムを示す図である。
【図２】実施の形態１にかかる撮像装置のハードウェア構成を示す図である。
【図３】実施の形態１にかかる情報処理端末のハードウェア構成を示す図である。
【図４】実施の形態１にかかる撮像装置の機能ブロック図である。
【図５】実施の形態１にかかる情報処理端末の機能ブロック図である。
【図６】実施の形態１にかかる動画撮像システムにおける処理の流れを示すシーケンス図である。
【図７】実施の形態１にかかる取得位置決定部の処理を示すフローチャートである。
【図８】実施の形態１にかかる処理を説明するための第１の具体例を示す図である。
【図９】実施の形態１にかかる処理を説明するための第１の具体例を示す図である。
【図１０】実施の形態１にかかる処理を説明するための第２の具体例を示す図である。
【図１１】実施の形態１にかかる処理を説明するための第２の具体例を示す図である。
【図１２】実施の形態１にかかる処理を説明するための第３の具体例を示す図である。
【図１３】実施の形態２にかかる取得位置決定部の処理を示すフローチャートである。
【図１４】実施の形態２にかかる処理を説明するための第１の具体例を示す図である。
【図１５】実施の形態２にかかる処理を説明するための第１の具体例を示す図である。
【図１６】実施の形態２にかかる処理を説明するための第２の具体例を示す図である。
【図１７】実施の形態２にかかる処理を説明するための第２の具体例を示す図である。
【図１８】実施の形態３にかかる一覧表示制御部の処理を示すフローチャートである。
【図１９】実施の形態３にかかる処理を説明するための第１の具体例を示す図である。
【図２０】実施の形態３にかかる処理を説明するための第２の具体例を示す図である。
【発明を実施するための形態】
【００１４】
（実施の形態１）
以下、図面を参照して本発明の実施の形態について説明する。
図１は、実施の形態１にかかる動画撮像システム１を示す図である。動画撮像システム１は、撮像装置１００と、情報処理端末２００とを有する。撮像装置１００は、例えばカムコーダ又はビデオカメラ等である。撮像装置１００は、動画を撮像し、撮像された動画を、動画像データとして記録する。また、撮像装置１００は、撮像した動画から、動画の予め定められた時間区間それぞれに対応するシーンの複数の静止画を抽出するように構成されている。また、撮像装置１００は、情報処理端末２００と、例えばＷｉＦｉ等の無線通信又は有線通信によって、通信を行う。詳しくは後述する。
【００１５】
情報処理端末２００は、例えばタブレット端末等である。情報処理端末２００は、好ましくはユーザによって持ち運び可能なモバイル機器である。情報処理端末２００は、撮像装置１００と無線又は有線等の通信路１０を介して通信を行う。情報処理端末２００は、撮像装置１００に対して動画の撮像の開始及び停止を指示するように構成されている。また、情報処理端末２００は、動画の撮像が停止されると、撮像装置１００から、抽出された静止画の少なくとも一部の静止画それぞれに対応する複数の表示用静止画を取得する。ここで、表示用静止画は、例えばサムネイルであって、情報処理端末２００において一覧表示されるための静止画である。さらに、情報処理端末２００は、取得された複数の表示用静止画の一覧を表示する。さらに、ユーザが、表示された表示用静止画を選択すると、選択された表示用静止画に関連付けられた時間に対応する動画の位置から、動画を再生する。詳しくは後述する。
【００１６】
図２は、実施の形態１にかかる撮像装置１００のハードウェア構成を示す図である。撮像装置１００は、操作部１０２と、表示部１０４と、情報処理装置１１０と、撮像部１３０とを有する。なお、撮像装置１００には、操作部１０２及び表示部１０４は設けられていなくてもよい。操作部１０２は、例えばタッチパネル又はキーボード等である。操作部１０２は、撮影者等のユーザの操作を受け付ける。また、操作部１０２は、情報処理装置１１０の制御によって、ユーザに必要な情報を表示してもよい。
【００１７】
表示部１０４は、例えばタッチパネル又はＬＣＤ（Liquid Crystal Display）等である。表示部１０４は、情報処理装置１１０の制御によって、ユーザに必要な情報を表示する。また、表示部１０４は、入力装置を有してもよく、必要に応じてユーザの操作を受け付けてもよい。また、表示部１０４は、撮像部１３０によって撮像された動画又は静止画を表示してもよい。
【００１８】
情報処理装置１１０は、例えばコンピュータである。情報処理装置１１０は、例えばＣＰＵ（Central Processing Unit）等の制御部１１２と、例えばメモリ又はハードディスク等の記憶部１１４と、通信部１１６とを有する。情報処理装置１１０は、操作部１０２、表示部１０４及び撮像部１３０の動作を制御する。また、情報処理装置１１０は、操作部１０２によって受け付けられた操作に応じて必要な処理を行う。また、情報処理装置１１０は、撮像部１３０によって撮像された動画に対して、静止画の抽出といった画像処理等の必要な処理を行う。通信部１１６は、無線又は有線を介して接続された情報処理端末２００と通信を行うために必要な処理を行う。
【００１９】
撮像部１３０は、例えばＣＣＤ（Charge Coupled Device）イメージセンサ又はＣＭＯＳ（Complementary Metal Oxide Semiconductor）イメージセンサ等の撮像素子である。撮像部１３０は、撮像部１３０の前のシーンを動画像として読み取る処理を行う。具体的には、撮像部１３０は、動画を撮像して、撮像された動画に対応する動画像データを生成する。また、撮像部１３０は、静止画を撮像して、撮像された静止画に対応する静止画像データを生成してもよい。なお、用語「動画」は、情報処理における処理対象としての、「動画を示す動画像データ」も意味する。同様に、用語「静止画」は、情報処理における処理対象としての、「静止画を示す静止画像データ」も意味する。
【００２０】
図３は、実施の形態１にかかる情報処理端末２００のハードウェア構成を示す図である。情報処理端末２００は、操作部２０２と、表示部２０４と、情報処理装置２１０と、撮像部２３０とを有する。なお、情報処理端末２００には、撮像部２３０は設けられていなくてもよい。
【００２１】
操作部２０２は、例えばタッチパネル又はキーボード等である。操作部２０２は、ユーザの操作を受け付ける。また、操作部２０２は、情報処理装置２１０の制御によって、ユーザに必要な情報を表示してもよい。表示部２０４は、例えばタッチパネル又はＬＣＤ等である。表示部２０４は、情報処理装置２１０の制御によって、ユーザに必要な情報を表示する。また、表示部２０４は、撮像装置１００から得られた動画又は静止画を表示する。また、表示部２０４は、入力装置を有してもよく、必要に応じてユーザの操作を受け付けてもよい。なお、好ましくは、操作部２０２及び表示部２０４は、一体となってタッチパネルを構成している。
【００２２】
情報処理装置２１０は、例えばコンピュータである。情報処理装置２１０は、例えばＣＰＵ等の制御部２１２と、例えばメモリ又はハードディスク等の記憶部２１４と、通信部２１６とを有する。情報処理装置２１０は、操作部２０２、表示部２０４及び撮像部２３０の動作を制御する。また、情報処理装置２１０は、操作部２０２によって受け付けられた操作に応じて必要な処理を行う。また、情報処理装置２１０は、撮像装置１００から得られた静止画又は動画を表示するための処理等の必要な処理を行う。通信部２１６は、無線又は有線を介して接続された撮像装置１００と通信を行うために必要な処理を行う。撮像部２３０は、撮像装置１００に設けられた撮像部１３０と同様の構成を有し得る。
【００２３】
図４は、実施の形態１にかかる撮像装置１００の機能ブロック図である。実施の形態１にかかる撮像装置１００は、撮像処理部１５０を有する。撮像処理部１５０は、撮像開始指示受信部１５２と、撮像制御部１５４と、動画格納部１５６と、静止画抽出部１５８と、静止画格納部１６０とを有する。また、撮像処理部１５０は、撮像停止指示受信部１７０と、撮像時間送信部１７２と、表示用静止画要求受信部１７４と、表示用静止画生成部１７６と、表示用静止画送信部１７８とを有する。さらに、撮像処理部１５０は、再生要求受信部１８０と、再生処理部１８２とを有する。これらの撮像処理部１５０の各構成要素については後で詳述するが、一部の構成要素については以下で説明する。
【００２４】
静止画抽出部１５８は、撮像部１３０によって撮像された動画から、この動画の予め定められた時間区間それぞれに対応するシーンの複数の静止画を抽出する。例えば、予め定められた時間区間が５秒であるとすると、静止画抽出部１５８は、動画の開始から５秒間隔で、各区間に対応するシーンの静止画を抽出する。具体的には、静止画抽出部１５８は、動画の開始から０秒後のシーンの静止画を抽出し、５秒後のシーンの静止画を抽出し、１０秒後のシーンの静止画を抽出する。静止画抽出部１５８は、以後同様に、５秒おきに静止画を抽出する。静止画抽出部１５８は、この抽出処理を、動画の終了時点まで行う。
【００２５】
さらに、静止画抽出部１５８は、抽出された静止画それぞれに、各静止画に対応する時間に関する情報である時間情報を付加する。つまり、静止画像データとしての静止画には、時間情報が含まれている。具体的には、静止画抽出部１５８は、例えば動画の開始から０秒後のシーンの静止画については、「動画開始から０秒」を示す時間情報を付加する。同様に、静止画抽出部１５８は、例えば動画の開始から５秒後のシーンの静止画については、「動画開始から５秒」を示す時間情報を付加する。なお、動画が撮像された時刻が動画に付加されている場合、この時間情報は、この静止画のシーンが撮像された時刻を示してもよい。
【００２６】
表示用静止画生成部１７６は、情報処理端末２００からの要求に応じて、抽出された静止画の少なくとも一部の静止画それぞれに対応する複数の表示用静止画を取得する。この表示用静止画は、情報処理端末２００において一覧表示される。したがって、表示用静止画生成部１７６は、元の静止画に対して圧縮処理及び縮小処理等の画像処理を施すことによって、サムネイル等の表示用静止画を生成する。なお、この表示用静止画には、元の静止画に付加されていた時間情報が付加されている。つまり、表示用静止画にも、時間情報が含まれている。
【００２７】
なお、撮像処理部１５０は、例えば、制御部１１２の制御によって、プログラムを実行させることによって実現できる。より具体的には、撮像処理部１５０は、記憶部１１４に格納されたプログラムを、制御部１１２の制御によってプログラムを実行することによって実現される。また、撮像処理部１５０の各構成要素は、プログラムによるソフトウェアで実現することに限ることなく、ハードウェア、ファームウェア、及びソフトウェアのうちのいずれかの組み合わせ等により実現してもよい。また、撮像処理部１５０の各構成要素は、例えばＦＰＧＡ（field-programmable gate array）又はマイコン等の、使用者がプログラミング可能な集積回路を用いて実現してもよい。この場合、この集積回路を用いて、上記の各構成要素から構成されるプログラムを実現してもよい。このことは、後述する情報処理端末２００における動画確認処理部についても同様である。
【００２８】
図５は、実施の形態１にかかる情報処理端末２００の機能ブロック図である。実施の形態１にかかる情報処理端末２００は、動画確認処理部２５０を有する。動画確認処理部２５０は、撮像開始指示部２５２と、撮像停止指示部２５４とを有する。また、動画確認処理部２５０は、撮像時間受信部２５６と、取得位置決定部２６０と、表示用静止画要求部２７０と、表示用静止画取得部２７２と、一覧表示制御部２７４とを有する。また、動画確認処理部２５０は、表示用静止画選択部２７６と、選択履歴記録部２７８と、再生要求部２８０と、再生処理部２８２とを有する。動画確認処理部２５０は、撮像装置１００によって撮像された動画をユーザが確認するための処理を行う。言い換えると、動画確認処理部２５０は、動画をユーザが確認するための動画確認方法を実行する。これらの動画確認処理部２５０の各構成要素については後で詳述するが、一部の構成要素については以下で説明する。
【００２９】
表示用静止画選択部２７６は、ユーザの操作により、表示部２０４に一覧表示された複数の表示用静止画から、１つ以上の表示用静止画を選択する。選択履歴記録部２７８は、表示用静止画選択部２７６によって選択された表示用静止画に付加されている時間情報に基づいて、選択の履歴を記録する。具体的には、選択履歴記録部２７８は、動画の終端から、選択された表示用静止画に関する時間情報が示す時間位置まで遡った時間を記録する。なお、「時間位置」とは、動画における時間軸上の位置を示し、例えば動画開始からの時間である。例えば動画の撮像時間が「５分」であり、選択された表示用静止画に関する時間情報が「動画開始から２分」を示している場合、動画の終端から、選択された表示用静止画に関する時間情報が示す時間位置まで遡った時間は、５分−２分＝３分である。したがって、この場合、選択履歴記録部２７８は、選択履歴として、「動画終了まで３分」を示す時間情報を記録する。この時間情報を、「選択時間情報」と称する。
【００３０】
図６は、実施の形態１にかかる動画撮像システム１における処理の流れを示すシーケンス図である。まず、ステップＳ１０２において、情報処理端末２００の操作部２０２は、ユーザによってなされた、動画の撮像の開始に関する操作を受け付ける。具体的には、例えば、表示部２０４が、撮像の開始を指示するためのアイコンを表示させ、ユーザがそのアイコンをタッチすることによって、操作部２０２は、撮像の開始に関する操作を受け付ける。
【００３１】
この操作に応じて、ステップＳ１０４において、情報処理端末２００は、撮像装置１００に対して、撮像の開始を指示する。具体的には、撮像開始指示部２５２は、操作部２０２から、撮像の開始に関する操作を示す信号を受信する。撮像開始指示部２５２は、この信号を受信すると、撮像を開始する旨の指示を示す信号を生成し、生成された信号を、通信部２１６及び通信路１０を介して、撮像装置１００に対して送信する。
【００３２】
撮像装置１００は、情報処理端末２００から撮像を開始する旨の指示を示す信号を受信すると、ステップＳ１０６において撮像処理を行う。さらに、撮像装置１００は、ステップＳ１０８において静止画の抽出処理を行う。具体的には、撮像開始指示受信部１５２は、情報処理端末２００から、通信路１０及び通信部１１６を介して、撮像を開始する旨の指示を示す信号を受信する。さらにこのとき、撮像開始指示受信部１５２は、撮像制御部１５４に対し、撮像を開始する旨の指示を示す信号を出力する。撮像制御部１５４は、撮像部１３０に対して、動画を撮像するように制御する。動画格納部１５６は、撮像部１３０によって生成された動画像データとしての動画を格納する。
【００３３】
また、撮像制御部１５４は、撮像を行うように制御している間、予め定められた時間間隔で動画から静止画を抽出する旨の指示を、静止画抽出部１５８に対して出力する。静止画抽出部１５８は、動画格納部１５６に格納された動画から、予め定められた時間間隔で静止画を抽出する。具体的には、静止画抽出部１５８は、上述したように、予め定められた時間区間それぞれに対応するシーンの複数の静止画を抽出する。なお、「予め定められた時間間隔」は、情報処理端末２００によって指定されるようにしてもよい。この場合、情報処理端末２００から送信される、撮像を開始する旨の指示を示す信号が、時間間隔を示す情報を含んでもよい。静止画抽出部１５８は、抽出した複数の静止画を静止画格納部１６０に格納する。このとき、静止画抽出部１５８は、各静止画に、対応する時間情報を付加する。
【００３４】
次に、ステップＳ１１０において、情報処理端末２００の操作部２０２は、ユーザによってなされた、動画の撮像の停止に関する操作を受け付ける。具体的には、表示部２０４が、撮像の停止を指示するためのアイコンを表示させ、ユーザがそのアイコンをタッチすることによって、操作部２０２は、撮像の停止に関する操作を受け付ける。
【００３５】
この操作に応じて、ステップＳ１１２において、情報処理端末２００は、撮像装置１００に対して、撮像の停止を指示する。具体的には、撮像停止指示部２５４は、操作部２０２から、撮像の停止に関する操作を示す信号を受信する。撮像停止指示部２５４は、この信号を受信すると、撮像を停止する旨の指示を示す信号を、通信部２１６及び通信路１０を介して、撮像装置１００に対して送信する。
【００３６】
ステップＳ１１４において、撮像装置１００は、情報処理端末２００から撮像を停止する旨の指示を示す信号を受信すると、撮像処理を停止する。具体的には、撮像停止指示受信部１７０は、情報処理端末２００から、通信路１０及び通信部１１６を介して、撮像を停止する旨の指示を示す信号を受信する。さらにこのとき、撮像停止指示受信部１７０は、撮像制御部１５４及び撮像時間送信部１７２に対し、撮像を停止する旨の指示を示す信号を出力する。これにより、撮像制御部１５４は、撮像部１３０に対して、撮像を停止するように制御する。
【００３７】
また、このとき、ステップＳ１１６において、撮像装置１００は、撮像された動画の撮像時間を示す情報を、情報処理端末２００に対して送信する。具体的には、撮像時間送信部１７２は、撮像停止指示受信部１７０から信号を受け付けると、動画格納部１５６に格納された動画の撮像時間を示す情報を取得する。そして、撮像時間送信部１７２は、取得した撮像時間を示す情報を、通信部１１６及び通信路１０を介して、情報処理端末２００に対して送信する。そして、情報処理端末２００の撮像時間受信部２５６は、その撮像時間を示す情報を、通信路１０及び通信部２１６を介して受信する。
【００３８】
撮像時間を示す情報を受信すると、ステップＳ２０において、情報処理端末２００は、後の処理で表示するために取得すべき表示用静止画それぞれの、動画における位置を決定する。具体的には、撮像時間受信部２５６は、撮像時間を示す情報を取得位置決定部２６０に送信する。取得位置決定部２６０は、撮像時間を示す情報と、選択履歴記録部２７８に記録された選択履歴とを用いて、取得すべき表示用静止画それぞれの動画における位置を決定する。以下、詳述する。
【００３９】
図７は、実施の形態１にかかる取得位置決定部２６０の処理を示すフローチャートである。まず、ステップＳ２０２において、取得位置決定部２６０は、選択履歴記録部２７８に選択履歴が記録されているか否かを判定する。選択履歴が記録されていない場合、つまりＳ２０２の判定がＮＯの場合、ステップＳ２０４において、取得位置決定部２６０は、取得すべき表示用静止画の時間軸上の位置が等間隔となるように、取得位置を決定する。なお、「取得位置」とは、処理対象の動画について取得すべき表示用静止画の時間位置つまり動画における時間軸上の位置である。
【００４０】
ここで、実施の形態１においては、取得すべき表示用静止画の時間間隔は、静止画格納部１６０に格納されている静止画の時間間隔よりも長くなるようにする。これによって、取得される表示用静止画の数は、静止画抽出部１５８によって抽出された静止画の数よりも少なくなる。例えば、静止画格納部１６０に静止画が５秒間隔で格納されている場合、取得位置決定部２６０は、５秒よりも大きい２０秒間隔となるように、取得位置を決定する。つまり、取得位置決定部２６０は、「動画開始から０秒」、「動画開始から２０秒」、「動画開始から４０秒」、「動画開始から６０秒」といったように、取得位置を決定する。
【００４１】
一方、選択履歴が記録されている場合、つまりＳ２０２の判定がＹＥＳの場合、ステップＳ２１０において、取得位置決定部２６０は、選択時間情報の頻度を判定する。例えば、「動画終了まで３分」を示す選択時間情報が選択履歴記録部２７８に１つ記録されている場合、つまり、「動画終了まで３分」の表示用静止画が１回選択された場合、「動画終了まで３分」を示す選択時間情報の頻度は「１」である。同様に、例えば、「動画終了まで２分」を示す選択時間情報が選択履歴記録部２７８に２つ記録されている場合、つまり、「動画終了まで２分」の表示用静止画が２回選択された場合、「動画終了まで２分」を示す選択時間情報の頻度は「２」である。
【００４２】
ステップＳ２１２において、取得位置決定部２６０は、処理対象の動画において、頻度の高い選択時間情報に対応する時間位置における時間間隔が相対的に短くなるように、取得位置を決定する。言い換えると、取得位置決定部２６０は、選択された頻度の高い時間帯における時間間隔が、選択された頻度の低い時間帯における時間間隔よりも短くなるように、取得位置を決定する。
【００４３】
例えば、選択履歴記録部２７８が選択時間情報として「動画終了まで３分」を示す選択時間情報を１つ記録しているケースを仮定する。ここで、処理対象の動画の撮像時間が５分である場合、「動画終了まで３分」を示す選択時間情報に対応する時間情報は、「動画開始から２分」を示す情報である。この場合において、頻度の高い選択時間情報に対応する表示用静止画は、「動画開始から２分」を示す時間情報に対応する表示用静止画である。したがって、取得位置決定部２６０は、「動画開始から２分」を示す時間情報の前後の時間帯における時間間隔が他の時間帯における時間間隔よりも短くなるように、取得位置を決定する。
【００４４】
つまり、取得位置決定部２６０は、「動画開始から２分」の前後の時間帯においては、例えば１０秒間隔で表示用静止画を取得するように、取得位置を決定する。一方、取得位置決定部２６０は、例えば「動画開始から４分」のようなその他の時間帯においては、例えば３０秒間隔等の１０秒間隔よりも長い間隔となるように、取得位置を決定する。なお、取得位置決定部２６０は、その他の時間帯においては、時間間隔を変更せず、２０秒間隔となるように取得位置を決定してもよい。
【００４５】
また、例えば、選択履歴記録部２７８が選択時間情報として「動画終了まで３分」を示す選択時間情報を１つ記録し、「動画終了まで２分」を示す選択時間情報を２つ記録しているケースを仮定する。このとき、「動画終了まで２分」を示す選択時間情報の方が、「動画終了まで３分」を示す選択時間情報よりも、頻度が高い。また、処理対象の動画の撮像時間が５分である場合、「動画終了まで３分」を示す選択時間情報に対応する時間情報は「動画開始から２分」を示す情報である。同様に、このとき、「動画終了まで２分」を示す選択時間情報に対応する時間情報は、「動画開始から３分」を示す情報である。この場合において、最も頻度の高い選択時間情報に対応する表示用静止画は、「動画開始から３分」を示す時間情報に対応する表示用静止画である。また、次に頻度の高い選択時間情報に対応する表示用静止画は、「動画開始から２分」を示す時間情報に対応する表示用静止画である。
【００４６】
したがって、取得位置決定部２６０は、「動画開始から３分」を示す時間情報の前後の時間帯における時間間隔が、「動画開始から２分」を示す時間情報の前後の時間帯における時間間隔よりも短くなるように、取得位置を決定する。同様に、取得位置決定部２６０は、「動画開始から２分」を示す時間情報の前後の時間帯における時間間隔が、他の時間情報の前後の時間帯における時間間隔よりも短くなるように、取得位置を決定する。
【００４７】
つまり、取得位置決定部２６０は、「動画開始から３分」の前後においては、例えば５秒間隔で表示用静止画を取得するように、取得位置を決定する。また、取得位置決定部２６０は、「動画開始から２分」の前後の時間帯においては、例えば１０秒間隔等の５秒間隔よりも長い間隔で表示用静止画を取得するように、取得位置を決定する。また、取得位置決定部２６０は、例えば「動画開始から４分」のようなその他の時間帯においては、例えば３０秒間隔等の１０秒間隔よりも長い間隔となるように、取得位置を決定する。
【００４８】
取得位置決定部２６０は、決定された取得位置を示す情報つまり時間情報を、表示用静止画要求部２７０に対して出力する。なお、この取得位置決定部２６０の処理の具体例については、後述する。
【００４９】
ステップＳ１２２において、情報処理端末２００は、撮像装置１００に対して、表示用静止画を要求する。具体的には、表示用静止画要求部２７０は、表示用静止画を要求する旨の命令を、通信部２１６及び通信路１０を介して、撮像装置１００に対して送信する。ここで、表示用静止画を要求する旨の命令には、取得位置決定部２６０によって決定された取得位置を示す情報が含まれている。そして、撮像装置１００の表示用静止画要求受信部１７４は、その表示用静止画を要求する旨の命令を、通信路１０及び通信部１１６を介して受信する。そして、表示用静止画要求受信部１７４は、表示用静止画を要求する旨の命令に含まれる、取得位置を示す情報を、表示用静止画生成部１７６に対して出力する。
【００５０】
ステップＳ１２４において、撮像装置１００は、表示用静止画を情報処理端末２００に対して送信する。具体的には、表示用静止画生成部１７６は、情報処理端末２００から送信された取得位置を示す時間情報に対応する静止画を、静止画格納部１６０から取得する。そして、表示用静止画生成部１７６は、取得された静止画に対して上述した画像処理を施して、表示用静止画を生成する。これによって、取得位置に対応する表示用静止画が生成される。表示用静止画生成部１７６は、生成された表示用静止画を表示用静止画送信部１７８に対して出力する。
【００５１】
表示用静止画送信部１７８は、表示用静止画を、通信部１１６及び通信路１０を介して、情報処理端末２００に対して送信する。情報処理端末２００の表示用静止画取得部２７２は、撮像装置１００から、通信路１０及び通信部２１６を介して、表示用静止画を受信する。これにより、表示用静止画取得部２７２は、取得位置決定部２６０によって決定された取得位置に対応する表示用静止画を取得する。表示用静止画取得部２７２は、取得された表示用静止画を、一覧表示制御部２７４に対して出力する。
【００５２】
ステップＳ１３０において、情報処理端末２００は、撮像装置１００から受信した表示用静止画の一覧を表示する。具体的には、一覧表示制御部２７４は、表示用静止画取得部２７２からの表示用静止画が一覧で表示されるように、表示部２０４を制御する。これによって、表示部２０４は、複数の表示用静止画を一覧表示する。
【００５３】
なお、一覧表示制御部２７４が表示部２０４に複数の表示用静止画を表示させる方法は、表示部２０４の大きさ及びユーザの好みによって適宜変更可能である。例えば、一覧表示制御部２７４は、複数の表示用静止画を１列に並べるように表示させてもよいし、適度に折り返して複数列に並べるように表示させてもよい。また、表示用静止画の動画における時間軸上の位置が等間隔でない場合、一覧表示制御部２７４は、その時間軸上の位置に対応するように間隔を広くしたり狭くしたりするように表示させてもよいし、等間隔に並べるように表示させてもよい。
【００５４】
また、表示用静止画の数が多いために全ての表示用静止画が表示部２０４に表示されない場合、一覧表示制御部２７４は、頻度の高い選択時間情報に対応する時間に関する表示用静止画を優先的に表示するようにしてもよい。この場合、一覧表示制御部２７４は、それ以外の表示用静止画については適宜表示されないようにしてもよい。この場合、ユーザがスクロール操作を行うことによって、表示されていなかった表示用静止画が表示されるようにしてもよい。
【００５５】
ステップＳ１３２において、情報処理端末２００の操作部２０２は、ユーザによってなされた、表示用静止画の選択に関する操作を受け付ける。具体的には、表示部２０４に複数の表示用静止画が表示されている状態で、ユーザが表示されている表示用静止画をタッチして選択することによって、操作部２０２は、表示用静止画の選択に関する操作を受け付ける。この操作に応じて、表示用静止画選択部２７６は、タッチつまり選択された表示用静止画を示す情報を受け付ける。これによって、表示用静止画選択部２７６は、表示部２０４に一覧表示された複数の表示用静止画から、１つ以上の表示用静止画を選択する。表示用静止画選択部２７６は、選択された表示用静止画を示す情報を、選択履歴記録部２７８及び再生要求部２８０に対して出力する。
【００５６】
ステップＳ１３４において、情報処理端末２００は、選択履歴を記録する。具体的には、上述したように、選択履歴記録部２７８は、表示用静止画選択部２７６によって選択された表示用静止画に付加されている時間情報に基づいて、選択履歴つまり選択時間情報を記録する。このステップＳ１３４の処理は、ステップＳ１３６の後で行われてもよい。選択履歴記録部２７８は、Ｓ１３２の処理において表示用静止画が１つ選択されたときは、その表示用静止画に対応する選択時間情報を記録する。
【００５７】
ステップＳ１３６において、情報処理端末２００は、撮像装置１００に対して、動画の再生を要求する。具体的には、再生要求部２８０は、動画を再生することを要求する旨の命令を、通信部２１６及び通信路１０を介して、撮像装置１００に対して送信する。ここで、動画を再生することを要求する旨の命令には、選択された表示用静止画に対応する時間情報が含まれている。再生要求受信部１８０は、この動画を再生することを要求する旨の命令を、通信路１０及び通信部１１６を介して受信する。再生要求受信部１８０は、受信した命令に含まれる、選択された表示用静止画に対応する時間情報を、再生処理部１８２に対して出力する。
【００５８】
ステップＳ１３８は、撮像装置１００は、情報処理端末２００に対して動画を転送する。具体的には、再生処理部１８２は、選択された表示用静止画に対応する時間情報によって示される時間から、動画が情報処理端末２００において再生されるような処理を行う。例えば、再生処理部１８２は、選択された表示用静止画に対応する時間から動画が再生されるように、情報処理端末２００に対してストリーミング配信処理を行う。
【００５９】
ステップＳ１４０において、情報処理端末２００は、撮像装置１００から転送された動画を再生する。具体的には、再生処理部２８２は、撮像装置１００からストリーミング配信された動画を、表示部２０４に表示させるための処理を行う。これによって、表示部２０４は、選択された表示用静止画に対応する時間から動画を再生する。なお、動画の転送は、ストリーミング配信に限られない。撮像装置１００は、選択された表示用静止画に対応する時間から再生されるような処理を施した上で、動画像データそのものを情報処理端末２００に送信してもよい。これにより、情報処理端末２００は、動画像データをダウンロードしてもよい。
【００６０】
なお、Ｓ１３２の処理で、２つの表示用静止画が選択されるようにしてもよい。言い換えると、動画を再生する開始時点ではなく、動画を再生する期間が指定されるようにしてもよい。この場合、再生処理部１８２及び再生処理部２８２は、その選択された２つの表示用静止画のうち時間の早いものに対応する時間から動画を開始し、時間の遅い表示用静止画に対応する時間に動画の再生を終了するようにしてもよい。また、この場合、選択履歴記録部２７８は、開始時間及び終了時間それぞれに対応する時間情報、及び、開始時間から終了時間までの期間における全ての時間情報を選択時間情報として記憶してもよい。また、この場合、取得位置決定部２６０は、その期間に対応する時間情報について、時間間隔が相対的に短くなるように取得位置を決定してもよい。
【００６１】
上述した実施の形態においては、Ｓ１１０の操作でユーザが情報処理端末２００を用いて動画の停止を指示したあと、ユーザが何らの操作を行うことなく、Ｓ１３０の処理で、情報処理端末２００において表示用静止画が表示される。つまり、ユーザは、動画の停止を指示したあと、煩わしい操作を行うことなく、短時間で、動画の内容を確認することが可能となる。したがって、動画を撮像した後、ユーザが視聴したいシーンを短時間で探すことが可能となる。このことは、他の実施の形態においても同様である。
【００６２】
また、上述した実施の形態においては、選択した頻度の高い時間帯について、表示用静止画が相対的に細かく表示されるように構成されている。ユーザが視聴したいシーンは、同じような時間帯に集中する傾向がある。例えば、あるユーザは、視聴したいシーンの直後、例えば約１０秒後に、動画を停止することが多い。また、別のユーザは、視聴したいシーンが経過してからしばらくしたあと、例えば約２分後に、動画を停止することが多い。したがって、選択履歴に応じて、選択した頻度の高い時間帯については細かく表示用静止画を表示させることによって、ユーザは、視聴したいシーンをより容易に探すことが可能となる。このことは、他の実施の形態においても同様である。
【００６３】
また、実施の形態１においては、選択履歴がない場合に、比較的、多くの表示用静止画が表示されない。したがって、表示部２０４の大きさが小さい場合であっても、複数の表示用静止画を一覧表示させることが可能となる。
【００６４】
以下、実施の形態１にかかる具体例について図を用いて説明する。
図８及び図９は、実施の形態１にかかる処理を説明するための第１の具体例を示す図である。第１の具体例においては、動画を再生する開始時点が指定される。図８に示すように、撮像装置１００は、動画Ａを撮像して、動画Ａに関する静止画２０ａ〜２０ｔを抽出する。このとき、情報処理端末２００において、選択履歴記録部２７８は、選択履歴を記録していないものとする。また、静止画２０ａ〜２０ｔの時間間隔は、ｔ１秒であるとする。
【００６５】
このとき、選択履歴記録部２７８が選択履歴を記録していないので、図７に示したＳ２０４の処理において、取得位置決定部２６０は、等間隔となるように、取得位置を決定する。このとき、例えば取得位置の間隔がｔ２＝ｔ１＊４（秒）であるとすると、取得位置決定部２６０は、「動画開始から０秒」、「動画開始からｔ１＊４（秒）」、「動画開始からｔ１＊８（秒）」、「動画開始からｔ１＊１２（秒）」及び「動画開始からｔ１＊１６（秒）」といったように、取得位置を決定する。
【００６６】
このとき、表示用静止画生成部１７６は、取得位置「動画開始から０秒」に対応する静止画２０ａを取得する。また、表示用静止画生成部１７６は、取得位置「動画開始から（ｔ１＊４）秒」に対応する静止画２０ｅを取得する。同様に、表示用静止画生成部１７６は、取得位置「動画開始から（ｔ１＊８）秒」、「動画開始から（ｔ１＊１２）秒」及び「動画開始から（ｔ１＊１６）秒」にそれぞれ対応する、静止画２０ｉ、２０ｍ及び２０ｑを取得する。そして、表示用静止画生成部１７６は、静止画２０ａ、２０ｅ、２０ｉ、２０ｍ及び２０ｑに対して画像処理を行って、表示用静止画４０ａ、４０ｅ、４０ｉ、４０ｍ及び４０ｑを生成する。
【００６７】
そして、表示用静止画取得部２７２は、撮像装置１００から表示用静止画４０ａ、４０ｅ、４０ｉ、４０ｍ及び４０ｑを取得する。これにより、情報処理端末２００は、表示部２０４に表示用静止画４０ａ、４０ｅ、４０ｉ、４０ｍ及び４０ｑを一覧表示させる。そして、ユーザが表示用静止画４０ｉを選択すると、撮像装置１００の処理によって、情報処理端末２００は、表示用静止画４０ｉに対応する時間位置つまり静止画２０ｉに対応する時間位置から、動画を再生する。このとき、動画の撮像時間をＴ１秒とすると、選択履歴記録部２７８は、「Ｔ１−（ｔ１＊８）」（秒）を示す選択時間情報を記録する。
【００６８】
次に、図９に示すように、撮像装置１００は、動画Ｂを撮像して、動画Ｂに関する静止画２２ａ〜２２ｔを抽出する。このとき、情報処理端末２００において、選択履歴記録部２７８は、「Ｔ１−（ｔ１＊８）」（秒）を示す選択時間情報を記録している。また、静止画２２ａ〜２２ｔの時間間隔は、ｔ１秒であるとする。また、動画Ｂの撮像時間はＴ１秒であるとする。
【００６９】
このとき、選択履歴記録部２７８が選択履歴を記録しているので、図７に示したＳ２１０の処理において、取得位置決定部２６０は、選択時間情報の頻度を判定する。この場合、取得位置決定部２６０は、「Ｔ１−（ｔ１＊８）」（秒）を示す選択時間情報の頻度が「１」であると判定する。ここで、「Ｔ１−（ｔ１＊８）」（秒）を示す選択時間情報に対応する、動画Ｂにおける時間位置は、Ｔ１−（Ｔ１−（ｔ１＊８））＝ｔ１＊８（秒）である。
【００７０】
したがって、取得位置決定部２６０は、時間位置ｔ１＊８（秒）の前後の時間間隔が相対的に短くなるように、取得位置を決定する。この例では、取得位置決定部２６０は、時間情報「動画開始からｔ１＊８（秒）」の前後の時間間隔をｔ１＊２（秒）とし、それ以外の時間情報の間隔については、ｔ１＊２（秒）よりも長く、例えばｔ１＊６（秒）等となるようにする。ここで、それ以外の時間帯における時間間隔については、頻度の高い選択時間情報に対応する時間情報の前後の時間帯における時間間隔よりも長ければよく、一定である必要はない。このことは、他の具体例においても同様である。
【００７１】
このとき、取得位置決定部２６０は、時間情報「動画開始からｔ１＊８（秒）」を、取得位置として決定する。また、取得位置決定部２６０は、その前後の時間情報「動画開始からｔ１＊６（秒）」及び「動画開始からｔ１＊１０（秒）」を、取得位置として決定する。さらに、取得位置決定部２６０は、時間情報「動画開始から０秒」及び「動画開始からｔ１＊１６（秒）」を、取得位置として決定する。
【００７２】
このとき、表示用静止画生成部１７６は、取得位置「動画開始から０秒」に対応する静止画２２ａを取得する。また、表示用静止画生成部１７６は、取得位置「動画開始からｔ１＊６（秒）」に対応する静止画２２ｇを取得する。また、表示用静止画生成部１７６は、取得位置「動画開始からｔ１＊８（秒）」に対応する静止画２２ｉを取得する。つまり、「Ｔ１−（ｔ１＊８）」（秒）を示す選択時間情報に対応する動画Ｂにおける静止画は、静止画２２ｉである。
【００７３】
また、表示用静止画生成部１７６は、取得位置「動画開始からｔ１＊１０（秒）」に対応する静止画２２ｋを取得する。また、表示用静止画生成部１７６は、取得位置「動画開始からｔ１＊１６（秒）」に対応する静止画２２ｑを取得する。そして、表示用静止画生成部１７６は、静止画２２ａ、２２ｇ、２２ｉ、２２ｋ及び２２ｑに対して画像処理を行って、表示用静止画４２ａ、４２ｇ、４２ｉ、４２ｋ及び４２ｑを生成する。このとき、「Ｔ１−（ｔ１＊８）」（秒）を示す選択時間情報に対応する動画Ｂにおける表示用静止画は、表示用静止画４２ｉである。
【００７４】
そして、表示用静止画取得部２７２は、撮像装置１００から表示用静止画４２ａ、４２ｇ、４２ｉ、４２ｋ及び４２ｑを取得する。これにより、情報処理端末２００は、表示部２０４に表示用静止画４２ａ、４２ｇ、４２ｉ、４２ｋ及び４２ｑを一覧表示させる。このとき、「Ｔ１−（ｔ１＊８）」（秒）を示す選択時間情報に対応する表示用静止画４２ｉの前後の表示用静止画の時間間隔が相対的に短くなるように表示されている。
【００７５】
図１０及び図１１は、実施の形態１にかかる処理を説明するための第２の具体例を示す図である。第２の具体例においては、動画を再生する期間、つまり始点及び終点が指定される。図１０に示すように、第１の具体例と同様に、撮像装置１００は、動画Ａを撮像して、動画Ａに関する静止画２０ａ〜２０ｕを抽出する。このとき、情報処理端末２００において、選択履歴記録部２７８は、選択履歴を記録していないものとする。また、静止画２０ａ〜２０ｕの時間間隔は、ｔ１秒であるとする。このとき、上述した第１の具体例と同様に、選択履歴記録部２７８が選択履歴を記録していないので、図７に示したＳ２０４の処理において、取得位置決定部２６０は、等間隔となるように、取得位置を決定する。したがって、情報処理端末２００は、等間隔である静止画２０ａ、２０ｅ、２０ｉ、２０ｍ、２０ｑ及び２０ｕに対応する表示用静止画４０ａ、４０ｅ、４０ｉ、４０ｍ、４０ｑ及び４０ｕを取得し、これらを表示部２０４に一覧表示させる。
【００７６】
ユーザが表示用静止画４０ｉ及び４０ｍを選択すると、撮像装置１００の処理によって、情報処理端末２００は、表示用静止画４０ｉに対応する時間位置から、表示用静止画４０ｍに対応する時間位置までの期間、動画を再生する。このとき、動画の撮像時間をＴ１秒とすると、選択履歴記録部２７８は、上記期間に対応する「Ｔ１−（ｔ１＊８）」（秒）、「Ｔ１−（ｔ１＊９）」（秒）、「Ｔ１−（ｔ１＊１０）」（秒）、「Ｔ１−（ｔ１＊１１）」（秒）及び「Ｔ１−（ｔ１＊１２）」（秒）を示す選択時間情報を記録する。
【００７７】
次に、図１１に示すように、撮像装置１００は、第１の具体例と同様に、動画Ｂを撮像して、動画Ｂに関する静止画２２ａ〜２２ｕを抽出する。静止画２２ａ〜２２ｕの時間間隔は、ｔ１秒であるとする。また、動画Ｂの撮像時間はＴ１秒であるとする。
【００７８】
このとき、選択履歴記録部２７８が選択履歴を記録しているので、図７に示したＳ２１０の処理において、取得位置決定部２６０は、選択時間情報の頻度を判定する。この場合、取得位置決定部２６０は、「Ｔ１−（ｔ１＊８）」（秒）から「Ｔ１−（ｔ１＊１２）」（秒）までの選択時間情報の頻度が「１」であると判定する。ここで、「Ｔ１−（ｔ１＊８）」（秒）を示す選択時間情報に対応する、動画Ｂにおける時間位置は、Ｔ１−（Ｔ１−（ｔ１＊８））＝ｔ１＊８（秒）である。また、「Ｔ１−（ｔ１＊１２）」（（秒）を示す選択時間情報に対応する、動画Ｂにおける時間位置は、Ｔ１−（Ｔ１−（ｔ１＊１２））＝ｔ１＊１２（秒）である。
【００７９】
したがって、取得位置決定部２６０は、時間位置ｔ１＊８（秒）からｔ１＊１２（秒）までの期間における時間間隔が相対的に短くなるように、取得位置を決定する。この例では、取得位置決定部２６０は、時間情報「動画開始からｔ１＊８（秒）」から「動画開始からｔ１＊１２（秒）」までの期間においては、時間間隔をｔ１＊２（秒）とし、それ以外の時間情報の間隔については、ｔ１＊２（秒）よりも長く、例えばｔ１＊４（秒）等となるようにする。
【００８０】
このとき、取得位置決定部２６０は、時間情報「動画開始からｔ１＊８（秒）」及び「動画開始からｔ１＊１２（秒）」を、取得位置として決定する。また、取得位置決定部２６０は、時間情報「動画開始からｔ１＊１０（秒）」を、取得位置として決定する。さらに、取得位置決定部２６０は、時間情報「動画開始から０秒」、「動画開始からｔ１＊４（秒）」及び「動画開始からｔ１＊１６（秒）」を、取得位置として決定する。
【００８１】
これにより、表示用静止画取得部２７２は、撮像装置１００から、上記取得位置として決定された時間情報にそれぞれ対応する表示用静止画４２ａ、４２ｅ、４２ｉ、４２ｋ、４２ｍ及び４２ｑを取得する。そして、情報処理端末２００は、これらの表示用静止画を表示部２０４に一覧表示させる。このとき、時間情報「Ｔ１−（ｔ１＊８）（秒）」から「Ｔ１−（ｔ１＊１２）（秒）」までの間の選択時間情報に対応する表示用静止画４２ｉ、４２ｋ、４２ｍの時間間隔が相対的に短くなるように表示されている。
【００８２】
なお、上述した第２の具体例においては、選択された２つの表示用静止画それぞれの時間情報の間の期間について、表示用静止画の時間間隔が相対的に短くなるようにしたが、このような構成に限られない。２つの選択時間情報それぞれに対応する時間情報の前後の時間情報の時間間隔が相対的に短くなるようにしてもよい。上記の例では、時間位置ｔ１＊８（秒）の前後、及び時間位置ｔ１＊１２（秒）の前後について、時間間隔が短くなるようにしてもよい。このことは、後述する他の実施の形態においても同様である。
【００８３】
また、上述した第２の具体例において、Ｓ１４０において動画が再生されているときに、Ｓ１３２で選択した、後の時間に対応する表示用静止画に対応するシーンが再生される前にユーザが再生を停止した場合、選択時間情報を書き換えてもよい。つまり、上記の例では、ｔ１＊１２（秒）の前の例えばｔ１＊１０（秒）で再生が停止されたとき、選択時間情報「Ｔ１−（ｔ１＊１２）」を「Ｔ１−（ｔ１＊１０）」と書き換えてもよい。このことは、後述する他の実施の形態においても同様である。
【００８４】
上述した第１の具体例及び第２の具体例においては、取得位置決定部２６０は、選択された頻度の低い選択時間情報に対応する時間における時間間隔が、選択時間情報が記録されていないときの時間間隔と比較して長くなるように、取得位置を決定する。これにより、選択された頻度の高い時間帯については、動画Ａと比較して、動画Ｂについては、表示用静止画が多く表示され得る。一方、選択された頻度の低い時間帯については、動画Ａと比較して、動画Ｂについては、表示用静止画が少なく表示され得る。このように構成されることによって、表示部２０４に表示される表示用静止画の数を、略一定にすることが可能となる。このようにすることによって、表示部２０４の大きさがあまり大きくない場合に、表示される表示用静止画の数を増加させることなく、ユーザは、視聴したいシーンをより容易に探すことが可能となる。
【００８５】
図１２は、実施の形態１にかかる処理を説明するための第３の具体例を示す図である。第３の具体例においては、選択の頻度が高い時間帯について、情報処理端末２００に表示される表示用静止画の数が増加する。まず、第１の具体例と同様に、図８に示すように動画Ａが撮像され、表示用静止画４０ａ、４０ｅ、４０ｉ、４０ｍ及び４０ｑが一覧表示される。そして、表示用静止画４０ｉが選択されたとする。このとき、選択履歴記録部２７８は、「Ｔ１−（ｔ１＊８）」（秒）を示す選択時間情報を記録する。
【００８６】
次に、第１の具体例と同様に、撮像装置１００は、動画Ｂを撮像して、動画Ｂに関する静止画２２ａ〜２２ｔを抽出する。そして、第１の具体例と同様に、取得位置決定部２６０は、時間位置ｔ１＊８（秒）の前後の時間間隔が相対的に短くなるように、取得位置を決定する。この例では、取得位置決定部２６０は、時間情報「動画開始からｔ１＊８（秒）」の前後の時間間隔をｔ１＊２（秒）とする。一方、取得位置決定部２６０は、それ以外の時間情報の間隔については、動画Ａの場合と同じ、ｔ１＊４（秒）とする。つまり、取得位置決定部２６０は、動画Ａの場合と同じ時間情報を、取得位置として決定する。
【００８７】
このとき、取得位置決定部２６０は、時間情報「動画開始からｔ１＊８（秒）」を、取得位置として決定する。また、取得位置決定部２６０は、その前後の時間情報「動画開始からｔ１＊６（秒）」及び「動画開始からｔ１＊１０（秒）」を、取得位置として決定する。さらに、取得位置決定部２６０は、動画Ａの場合と同じ、時間情報「動画開始から０秒」、「動画開始からｔ１＊４（秒）」、「動画開始からｔ１＊１２（秒）」及び「動画開始からｔ１＊１６（秒）」を、取得位置として決定する。
【００８８】
これにより、表示用静止画取得部２７２は、撮像装置１００から、上記取得位置として決定された時間情報にそれぞれ対応する表示用静止画４２ａ、４２ｅ、４２ｇ、４２ｉ、４２ｋ、４２ｍ及び４２ｑを取得し、これらを表示部２０４に一覧表示させる。このとき、選択時間情報「Ｔ１−（ｔ１＊８）（秒）」に対応する表示用静止画４２ｉの前後の表示用静止画が増加しているので、この時間帯において時間間隔が相対的に短くなるように表示されている。
【００８９】
上述した第３の具体例においては、第１の具体例及び第２の具体例と異なり、選択された頻度の高い時間帯については、動画Ａと比較して、動画Ｂについては、表示用静止画が多く表示され得る。一方、選択された頻度の低い時間帯については、動画Ａと略同じ数で、動画Ｂについても、表示用静止画が表示され得る。このように構成されることによって、選択された頻度の高い時間帯についてより細かく表示用静止画を表示しつつ、選択された頻度の低い時間帯においても、選択時間情報が記録されていないと同程度の細かさで表示用静止画を表示することができる。
【００９０】
（実施の形態２）
次に、実施の形態２について説明する。実施の形態２は、実施の形態１と同様に、図１〜図３に示した装置及びシステムにおいて実現される。また、実施の形態２にかかる撮像装置１００は、実施の形態１と同様に、図４に示した撮像処理部１５０を有する。また、実施の形態２にかかる情報処理端末２００は、実施の形態１と同様に、図５に示した動画確認処理部２５０を有する。そして、実施の形態２にかかる撮像装置１００及び情報処理端末２００は、実施の形態１と同様に、図６に示したシーケンス図のように処理を行う。一方、実施の形態２にかかるＳ２０の取得位置決定部２６０の処理が、実施の形態１とは異なる。
【００９１】
図１３は、実施の形態２にかかる取得位置決定部２６０の処理を示すフローチャートである。まず、ステップＳ３０２において、Ｓ２０２と同様に、取得位置決定部２６０は、選択履歴記録部２７８に選択履歴が記録されているか否かを判定する。選択履歴が記録されていない場合、つまりＳ３０２の判定がＮＯの場合、ステップＳ３０４において、Ｓ２０４と同様に、取得位置決定部２６０は、取得すべき表示用静止画の時間軸上の位置が等間隔となるように、取得位置を決定する。
【００９２】
ここで、実施の形態２においては、取得すべき表示用静止画の時間間隔は、静止画格納部１６０に格納されている静止画の時間間隔と同じであってもよい。例えば、静止画格納部１６０に静止画が５秒間隔で格納されている場合、取得位置決定部２６０は、５秒間隔となるように、取得位置を決定する。つまり、取得位置決定部２６０は、「動画開始から０秒」、「動画開始から５秒」、「動画開始から１０秒」、「動画開始から１５秒」といったように、取得位置を決定する。なお、このときに取得すべき表示用静止画の時間間隔は、静止画の時間間隔と同じでなくてもよい。例えば、格納されている静止画について１つおきに表示用静止画が取得されてもよい。好ましくは、実施の形態２においては、実施の形態１の場合よりは、表示用静止画の時間間隔は短い。
【００９３】
一方、選択履歴が記録されている場合、つまりＳ３０２の判定がＹＥＳの場合、ステップＳ３１０において、Ｓ２１０と同様に、取得位置決定部２６０は、選択時間情報の頻度を判定する。ステップＳ３１２において、取得位置決定部２６０は、頻度の低い選択時間情報に対応する時間情報に対応する表示用静止画の数を減少させるように、取得位置を決定する。
【００９４】
例えば、上述したような、選択履歴記録部２７８が選択時間情報として「動画終了まで３分」を示す選択時間情報を１つ記録し、処理対象の動画の撮像時間が５分である例を想定する。この場合、取得位置決定部２６０は、「動画開始から２分」に対応する表示用静止画の近傍の時間帯においては、静止画格納部１６０に格納されている静止画の時間間隔と同じとするように、取得位置を決定する。一方、取得位置決定部２６０は、「動画開始から２分」に対応する表示用静止画の近傍の時間帯以外の時間帯においては、時間間隔が長くなるように、取得位置を決定する。
【００９５】
つまり、取得位置決定部２６０は、「動画開始から２分」の前後の時間帯においては、５秒間隔で表示用静止画を取得するように、取得位置を決定する。一方、取得位置決定部２６０は、例えば「動画開始から４分」のようなその他の時間帯においては、例えば１０秒間隔等の５秒間隔よりも長い間隔となるように、取得位置を決定する。
【００９６】
また、例えば、上述したような、選択履歴記録部２７８が選択時間情報として「動画終了まで３分」を示す選択時間情報を１つ記録し、「動画終了まで２分」を示す選択時間情報を２つ記録し、処理対象の動画の撮像時間が５分である例を想定する。この場合、取得位置決定部２６０は、「動画開始から３分」を示す時間情報の前後の時間帯における時間間隔が５秒間隔となるように、取得位置を決定する。また、取得位置決定部２６０は、「動画開始から２分」を示す時間情報の前後の時間間隔が、「動画開始から３分」を示す時間情報の前後の時間帯における時間間隔よりも長くなるように、取得位置を決定する。同様に、取得位置決定部２６０は、その他の時間情報の前後の時間帯における時間間隔が「動画開始から２分」を示す時間情報の前後の時間間隔よりも長くなるように、取得位置を決定する。
【００９７】
つまり、取得位置決定部２６０は、「動画開始から２分」の前後においては、例えば１０秒間隔等の５秒間隔よりも長い間隔で表示用静止画を取得するように、取得位置を決定する。また、取得位置決定部２６０は、例えば「動画開始から４分」のようなその他の時間位置においては、例えば２０秒間隔等の１０秒間隔よりも長い間隔となるように、取得位置を決定する。
【００９８】
また、実施の形態２においては、選択履歴がない場合であっても細かく表示用静止画が表示される。したがって、ユーザは、視聴したいシーンを、より正確に選択することが可能となる。実施の形態２は、情報処理端末２００が、多くの表示用静止画を表示させることが可能な表示部２０４を備えている場合に、より有効である。
【００９９】
また、実施の形態２においては、選択を繰り返していくと、選択された頻度の高い時間帯についてはより細かく、選択された頻度の低い時間帯についてはより粗く、表示用静止画が表示され得る。したがって、特に、選択時間情報が複数ある場合に、複数の時間帯において、容易に、表示用静止画を細かく表示させることが可能となる。
【０１００】
以下、実施の形態２にかかる具体例について図を用いて説明する。
図１４及び図１５は、実施の形態２にかかる処理を説明するための第１の具体例を示す図である。第１の具体例においては、動画を再生する開始時点が指定される。図１４に示すように、撮像装置１００は、動画Ａを撮像して、動画Ａに関する静止画２０ａ〜２０ｔを抽出する。このとき、情報処理端末２００において、選択履歴記録部２７８は、選択履歴を記録していないものとする。また、静止画２０ａ〜２０ｔの時間間隔は、ｔ１秒であるとする。このとき、選択履歴記録部２７８が選択履歴を記録していないので、図１３に示したＳ３０４の処理において、取得位置決定部２６０は、等間隔つまりｔ１秒となるように、取得位置を決定する。つまり、取得位置決定部２６０は、「動画開始から０秒」、「動画開始からｔ１秒」、「動画開始からｔ１＊２（秒）」、「動画開始からｔ１＊３（秒）」及び「動画開始からｔ１＊４（秒）」といったように、取得位置を決定する。
【０１０１】
このとき、上述した具体例と同様に、表示用静止画取得部２７２は、撮像装置１００から表示用静止画４０ａ〜４０ｔを取得する。これにより、情報処理端末２００は、表示部２０４に表示用静止画４０ａ〜４０ｔを一覧表示させる。そして、ユーザが表示用静止画４０ｉを選択すると、撮像装置１００の処理によって、情報処理端末２００は、表示用静止画４０ｉに対応する時間位置つまり静止画２０ｉに対応する時間位置から、動画を再生する。このとき、動画の撮像時間をＴ１秒とすると、選択履歴記録部２７８は、「Ｔ１−（ｔ１＊８）」（秒）を示す選択時間情報を記録する。
【０１０２】
次に、図１５に示すように、撮像装置１００は、動画Ｂを撮像して、動画Ｂに関する静止画２２ａ〜２２ｔを抽出する。このとき、情報処理端末２００において、選択履歴記録部２７８は、「Ｔ１−（ｔ１＊８）」（秒）を示す選択時間情報を記録している。また、静止画２２ａ〜２２ｔの時間間隔は、ｔ１秒であるとする。また、動画Ｂの撮像時間はＴ１秒であるとする。
【０１０３】
このとき、選択履歴記録部２７８が選択履歴を記録しているので、図１３に示したＳ３１０の処理において、取得位置決定部２６０は、選択時間情報の頻度を判定する。この場合、取得位置決定部２６０は、「Ｔ１−（ｔ１＊８）」（秒）を示す選択時間情報の頻度が「１」であると判定する。ここで、「Ｔ１−（ｔ１＊８）」（秒）を示す選択時間情報に対応する、動画Ｂにおける時間位置は、Ｔ１−（Ｔ１−（ｔ１＊８））＝ｔ１＊８（秒）である。
【０１０４】
したがって、取得位置決定部２６０は、時間位置ｔ１＊８（秒）の前後の時間帯以外の時間帯における時間間隔が相対的に長くなるように、取得位置を決定する。この例では、取得位置決定部２６０は、時間情報「動画開始からｔ１＊８（秒）」の前後の時間帯以外の時間帯Ｂにおける時間間隔が、ｔ１（秒）よりも長く、例えばｔ１＊２（秒）等となるようにする。一方、取得位置決定部２６０は、時間情報「動画開始からｔ１＊８（秒）」の前後の時間帯Ａにおける時間間隔が、動画Ａの場合と同様にｔ１（秒）となるようにする。ここで、それ以外の時間帯における時間間隔については、頻度の高い選択時間情報に対応する時間情報の前後の時間帯における時間間隔よりも長ければよく、一定である必要はない。このことは、他の具体例においても同様である。
【０１０５】
このとき、取得位置決定部２６０は、時間情報「動画開始からｔ１＊８（秒）」を、取得位置として決定する。また、取得位置決定部２６０は、時間帯Ａにおける時間情報「動画開始からｔ１＊７（秒）」及び「動画開始からｔ１＊９（秒）」を、取得位置として決定する。さらに、取得位置決定部２６０は、時間帯Ｂに対応する時間情報、例えば「動画開始から０秒」、「動画開始からｔ１＊２（秒）」、「動画開始からｔ１＊４（秒）」及び「動画開始からｔ１＊６（秒）」を、取得位置として決定する。同様に、取得位置決定部２６０は、時間帯Ｂに対応する時間情報、例えば「動画開始からｔ１＊１０秒」、「動画開始からｔ１＊１２（秒）」、「動画開始からｔ１＊１４（秒）」等を、取得位置として決定する。
【０１０６】
このとき、表示用静止画生成部１７６は、取得位置「動画開始から０秒」、「動画開始からｔ１＊２（秒）」、「動画開始からｔ１＊４（秒）」及び「動画開始からｔ１＊６（秒）」にそれぞれ対応する静止画２２ａ，２２ｃ，２２ｅ及び２２ｇを取得する。また、表示用静止画生成部１７６は、取得位置「動画開始からｔ１＊１０秒」、「動画開始からｔ１＊１２（秒）」、「動画開始からｔ１＊１４（秒）」等にそれぞれ対応する静止画２２ｋ，２２ｍ，２２ｏ、２２ｑ及び２２ｓを取得する。
【０１０７】
また、表示用静止画生成部１７６は、取得位置「動画開始からｔ１＊７（秒）」に対応する静止画２２ｈを取得する。また、表示用静止画生成部１７６は、取得位置「動画開始からｔ１＊８（秒）」に対応する静止画２２ｉを取得する。つまり、「Ｔ１−（ｔ１＊８）」（秒）を示す選択時間情報に対応する動画Ｂにおける静止画は、静止画２２ｉである。また、表示用静止画生成部１７６は、取得位置「動画開始からｔ１＊９（秒）」に対応する静止画２２ｊを取得する。
【０１０８】
そして、表示用静止画生成部１７６は、静止画２２ａ，２２ｃ，２２ｅ、２２ｇに対して画像処理を行って、表示用静止画４２ａ，４２ｃ，４２ｅ、４２ｇを生成する。同様に、表示用静止画生成部１７６は、静止画２２ｈ、２２ｉ、２２ｊに対して画像処理を行って、表示用静止画４２ｈ、４２ｉ、４２ｊを生成する。同様に、表示用静止画生成部１７６は、静止画２２ｋ，２２ｍ，２２ｏ、２２ｑ、２２ｓに対して画像処理を行って、表示用静止画４２ｋ，４２ｍ，４２ｏ、４２ｑ、４２ｓを生成する。このとき、「Ｔ１−（ｔ１＊８）」（秒）を示す選択時間情報に対応する動画Ｂにおける表示用静止画は、表示用静止画４２ｉである。
【０１０９】
そして、表示用静止画取得部２７２は、撮像装置１００から上記の表示用静止画４２ａ等を取得する。これにより、情報処理端末２００は、表示部２０４に上記の表示用静止画４２ａ等を一覧表示させる。このとき、「Ｔ１−（ｔ１＊８）」（秒）を示す選択時間情報に対応する表示用静止画４２ｉの前後の時間帯の表示用静止画の数が相対的に多くなるように表示されている。
【０１１０】
図１６及び図１７は、実施の形態２にかかる処理を説明するための第２の具体例を示す図である。第２の具体例においては、動画を再生する期間、つまり始点及び終点が指定される。図１６に示すように、第１の具体例と同様に、撮像装置１００は、動画Ａを撮像して、動画Ａに関する静止画２０ａ〜２０ｔを抽出する。このとき、情報処理端末２００において、選択履歴記録部２７８は、選択履歴を記録していないものとする。また、静止画２０ａ〜２０ｔの時間間隔は、ｔ１秒であるとする。このとき、上述した第１の具体例と同様に、選択履歴記録部２７８が選択履歴を記録していないので、図１３に示したＳ３０４の処理において、取得位置決定部２６０は、等間隔つまりｔ１秒となるように、取得位置を決定する。したがって、情報処理端末２００は、静止画２０ａ〜２０ｔに対応する表示用静止画４０ａ〜４０ｔを取得し、これらを表示部２０４に一覧表示させる。
【０１１１】
ユーザが表示用静止画４０ｉ及び４０ｏを選択すると、撮像装置１００の処理によって、情報処理端末２００は、表示用静止画４０ｉに対応する時間位置から、表示用静止画４０ｏに対応する時間位置までの期間、動画を再生する。このとき、動画の撮像時間をＴ１秒とすると、選択履歴記録部２７８は、上記期間に対応する「Ｔ１−（ｔ１＊８）」（秒）から「Ｔ１−（ｔ１＊１４）」（秒）を示す選択時間情報を記録する。
【０１１２】
次に、図１７に示すように、撮像装置１００は、第１の具体例と同様に、動画Ｂを撮像して、動画Ｂに関する静止画２２ａ〜２２ｔを抽出する。静止画２２ａ〜２２ｔの時間間隔は、ｔ１秒であるとする。また、動画Ｂの撮像時間はＴ１秒であるとする。
【０１１３】
このとき、選択履歴記録部２７８が選択履歴を記録しているので、図１３に示したＳ３１０の処理において、取得位置決定部２６０は、選択時間情報の頻度を判定する。この場合、取得位置決定部２６０は、「Ｔ１−（ｔ１＊８）」（秒）から「Ｔ１−（ｔ１＊１４）」（秒）までの選択時間情報の頻度が「１」であると判定する。
【０１１４】
したがって、取得位置決定部２６０は、時間位置ｔ１＊８（秒）からｔ１＊１４（秒）までの期間以外の時間帯における時間間隔が相対的に長くなるように、取得位置を決定する。この例では、取得位置決定部２６０は、上記期間に対応する時間帯Ａ以外の時間帯Ｂにおける時間間隔が、ｔ１（秒）よりも長く、例えばｔ１＊２（秒）等となるようにする。
【０１１５】
このとき、取得位置決定部２６０は、時間帯Ａに対応する時間情報「動画開始からｔ１＊８（秒）」から「動画開始からｔ１＊１４（秒）」の間の時間情報それぞれを、取得位置として決定する。さらに、取得位置決定部２６０は、時間帯Ｂに対応する時間情報、例えば時間情報「動画開始から０秒」、「動画開始からｔ１＊２（秒）」等を、取得位置として決定する。
【０１１６】
これにより、表示用静止画取得部２７２は、撮像装置１００から、上記取得位置として決定された時間情報にそれぞれ対応する表示用静止画４２ａ、４２ｃ、４２ｅ、４２ｇ、４２ｉ〜４２ｏ、４２ｑ及び４２ｓを取得し、これらを表示部２０４に一覧表示させる。このとき、時間情報「Ｔ１−（ｔ１＊８）（秒）」から「Ｔ１−（ｔ１＊１４）（秒）」までの間の選択時間情報に対応する表示用静止画４２ｉ〜４２ｏに対応する時間帯の表示用静止画の数が相対的に多くなるように表示されている。
【０１１７】
（実施の形態３）
次に、実施の形態３について説明する。実施の形態３は、実施の形態１と同様に、図１〜図３に示した装置及びシステムにおいて実現される。また、実施の形態３にかかる撮像装置１００は、実施の形態１と同様に、図４に示した撮像処理部１５０を有する。また、実施の形態３にかかる情報処理端末２００は、実施の形態１と同様に、図５に示した動画確認処理部２５０を有する。そして、実施の形態３にかかる撮像装置１００及び情報処理端末２００は、実施の形態１と同様に、図６に示したシーケンス図のように処理を行う。
【０１１８】
一方、実施の形態３にかかるＳ１３０の一覧表示制御部２７４の処理が、実施の形態１及び実施の形態２とは異なる。具体的には、一覧表示制御部２７４は、実施の形態１等と同様に、表示用静止画取得部２７２からの表示用静止画が一覧で表示されるように、表示部２０４を制御する。この際、一覧表示制御部２７４は、選択履歴における選択時間情報の頻度に応じて、表示される表示用静止画の大きさが互いに異なり得るようにするように構成されている。以下、詳述する。
【０１１９】
図１８は、実施の形態３にかかる一覧表示制御部２７４の処理を示すフローチャートである。まず、ステップＳ４０２において、一覧表示制御部２７４は、選択履歴記録部２７８に選択履歴が記録されているか否かを判定する。選択履歴が記録されていない場合、つまりＳ４０２の判定がＮＯの場合、ステップＳ４０４において、他の実施の形態と同様に、一覧表示制御部２７４は、全ての表示用静止画が互いに同じ大きさで表示されるように、各表示用静止画を表示させる。
【０１２０】
一方、選択履歴が記録されている場合、つまりＳ４０２の判定がＹＥＳの場合、ステップＳ４１０において、Ｓ２１０の処理と同様にして、一覧表示制御部２７４は、選択時間情報の頻度を判定する。ステップＳ４１２において、一覧表示制御部２７４は、頻度の高い選択時間情報に対応する時間情報に対応する表示用静止画の大きさが他の表示用静止画よりも大きくなるように、各表示用静止画を表示させる。
【０１２１】
例えば、選択履歴記録部２７８が選択時間情報として「動画終了まで３分」を示す選択時間情報を１つ記録しているケースを仮定する。そして、処理対象の動画の撮像時間が５分である場合、「動画終了まで３分」を示す選択時間情報に対応する時間情報は、「動画開始から２分」を示す情報である。この場合において、頻度の高い選択時間情報に対応する表示用静止画は、「動画開始から２分」を示す時間情報に対応する表示用静止画である。したがって、一覧表示制御部２７４は、この「動画開始から２分」を示す時間情報に対応する表示用静止画を、他の表示用静止画よりも大きくなるように表示する。
【０１２２】
また、例えば、選択履歴記録部２７８が選択時間情報として「動画終了まで３分」を示す選択時間情報を１つ記録し、「動画終了まで２分」を示す選択時間情報を２つ記録しているケースを仮定する。そして、処理対象の動画の撮像時間が５分である場合、「動画終了まで３分」を示す選択時間情報に対応する時間情報は「動画開始から２分」を示す情報であり、「動画終了まで２分」を示す選択時間情報に対応する時間情報は、「動画開始から３分」を示す情報である。この場合において、最も頻度の高い選択時間情報に対応する表示用静止画は、「動画開始から３分」を示す時間情報に対応する表示用静止画である。また、次に頻度の高い選択時間情報に対応する表示用静止画は、「動画開始から２分」を示す時間情報に対応する表示用静止画である。
【０１２３】
したがって、一覧表示制御部２７４は、「動画開始から３分」を示す時間情報に対応する表示用静止画が最も大きく表示されるようにする。また、一覧表示制御部２７４は、「動画開始から２分」を示す時間情報に対応する表示用静止画が２番目に大きく表示されるようにする。
【０１２４】
以下、実施の形態３にかかる具体例について図を用いて説明する。なお、以下の具体例は、上記の実施の形態２に適用した例を示しているが、実施の形態３は、実施の形態１にも適用可能である。また、以下の具体例においては、頻度の高い選択時間情報に対応する表示用静止画が大きく表示されるような構成であるが、頻度の低い選択時間情報に対応する表示用静止画が縮小して表示されるような構成であってもよい。
【０１２５】
図１９は、実施の形態３にかかる処理を説明するための第１の具体例を示す図である。第１の具体例においては、動画を再生する開始時点が指定される。なお、図１９に示した例は、図１５で示した実施の形態２の第１の具体例に対応する。
【０１２６】
図１５を用いて上述したように、選択時間情報「Ｔ１−（ｔ１＊８）」に対応する表示用静止画は、表示用静止画４２ｉである。したがって、図１９に示すように、一覧表示制御部２７４は、頻度の高い選択時間情報に対応する表示用静止画である表示用静止画４２ｉの大きさが、他の表示用静止画よりも大きくなるように、各表示用静止画を表示させる。なお、図１９に示すように、一覧表示制御部２７４は、表示用静止画４２ｉの前後の表示用静止画４２ｈ及び４２ｊを、表示用静止画４２ｉよりは小さいが他の表示用静止画よりは大きくなるように表示させるようにしてもよい。
【０１２７】
図２０は、実施の形態３にかかる処理を説明するための第２の具体例を示す図である。第２の具体例においては、動画を再生する期間、つまり始点及び終点が指定される。なお、図２０に示した例は、図１７で示した実施の形態２の第２の具体例に対応する。
【０１２８】
図１７を用いて上述したように、選択時間情報「Ｔ１−（ｔ１＊８）」から「Ｔ１−（ｔ１＊１４）」に対応する表示用静止画は、表示用静止画４２ｉ〜４２ｏである。したがって、図２０に示すように、一覧表示制御部２７４は、頻度の高い選択時間情報に対応する表示用静止画である表示用静止画４２ｉ〜４２ｏの大きさが、他の表示用静止画よりも大きくなるように、各表示用静止画を表示させる。なお、一覧表示制御部２７４は、表示用静止画４２ｉ〜４２ｏの前後の表示用静止画を、表示用静止画４２ｉ〜４２ｏよりは小さいが他の表示用静止画よりは大きくなるように表示させるようにしてもよい。
【０１２９】
実施の形態３においては、選択された頻度の高い時間帯における表示用静止画を大きく表示させることが可能となる。したがって、ユーザは、選択された頻度の高い時間帯の表示用静止画、つまりそのユーザが視聴したい可能性の高いシーンを、さらに容易に確認することが可能となる。
【０１３０】
（変形例）
なお、本発明は上記実施の形態に限られたものではなく、趣旨を逸脱しない範囲で適宜変更することが可能である。例えば、図４に示した撮像処理部１５０の各構成要素の少なくとも１つは、情報処理端末２００で実現されてもよい。同様に、図５に示した動画確認処理部２５０の各構成要素の少なくとも１つは、撮像装置１００で実現されてもよい。さらに、撮像処理部１５０及び動画確認処理部２５０が、１つの装置で実現されてもよい。この場合、その装置は、図２及び図３に示すように、情報処理装置、操作部、表示部及び撮像部を有している。そして、その装置は、自身の装置に設けられた撮像部で動画を撮影し、情報処理装置で撮像処理部１５０及び動画確認処理部２５０を実現し、表示部に表示用静止画を表示させる。
【０１３１】
また、上述したシーケンス図及びフローチャートにおける処理の順序は、適宜、変更可能である。また、上述したシーケンス図及びフローチャートにおける複数の処理の少なくとも１つは、省略されても構わない。例えば、選択履歴が記録されていない場合、図６に示したＳ１１６、Ｓ２０及びＳ１２２の処理はなくてもよい。この場合、情報処理端末２００が撮像の停止を指示するときに、撮像の停止を指示する旨の命令に、表示用静止画の時間間隔を示す情報を含ませてもよい。このときの時間間隔は等間隔であってもよい。撮像装置１００は、指示された間隔で表示用静止画を生成し、Ｓ１２４の処理で情報処理端末２００に送信する。なお、この表示用静止画の時間間隔の指定は、Ｓ１０４の処理のときに行われてもよい。
【０１３２】
また、上述した実施の形態においては、撮像装置１００は、動画を撮像しながら静止画を抽出するように構成されているが、このような構成に限られない。例えば、静止画は、動画の撮像が終了したときに抽出されるようにしてもよい。ただし、動画を撮像しながら静止画を抽出することにより、動画の撮像が停止してから表示用静止画が一覧表示されるまでの時間が、より短くなる。
【０１３３】
一方、動画から静止画を抽出する処理は、取得位置決定部２６０の処理の後で行われてもよい。この場合、静止画格納部１６０はなくてもよい。この場合、撮像装置１００は、取得位置決定部２６０によって決定された取得位置に関する静止画のみ抽出し、抽出された静止画について表示用静止画を生成するようにしてもよい。
【０１３４】
また、上述した実施の形態においては、撮像装置１００において静止画が抽出されるように構成されているが、このような構成に限られない。情報処理端末２００が静止画を抽出するようにしてもよい。この場合、撮像装置１００は、撮像した動画つまり動画像データを、リアルタイムで情報処理端末２００に送信する。このようにすることによって、情報処理端末２００は、動画の撮像を停止してから撮像装置１００と通信を行うことが不要となるので、動画の撮像が停止してから表示用静止画が一覧表示されるまでの時間が、さらに短くなる。
【０１３５】
また、上述した実施の形態においては、表示用静止画は、情報処理端末２００が表示用静止画を要求したときに作成されるとしたが、このような構成に限られない。表示用静止画は、静止画が抽出されるときに生成されるようにしてもよい。このようにすることによって、撮像が停止した後で画像処理を行う必要がなくなるので、動画の撮像が停止してから表示用静止画が一覧表示されるまでの時間が、さらに短くなる。ただし、抽出された全ての静止画について画像処理を行うので、情報処理のリソースがより多く消費され得る。
【０１３６】
また、撮像装置１００で作成される動画像データつまり動画ファイルのサイズに制限がある場合、動画が複数の動画ファイルに分割され得る。この場合、撮像装置１００は、分割された全ての動画ファイルについて、静止画を抽出するようにしてもよい。
【０１３７】
また、動画が撮像されている間に、情報処理端末２００において、マーカを記録するようにしてもよい。マーカは、ユーザが興味を持ったシーンについて、例えばユーザが情報処理端末２００の操作部を操作することによって記録される。このマーカは、記録された時間を示す時間情報を含む。そして、情報処理端末２００は、撮像を停止する旨の指示に、このマーカに関する時間情報を含めてもよい。この場合、撮像装置１００は、その時間情報に対応する静止画及びこの静止画の前後の時間帯の静止画について、表示用静止画を生成するようにしてもよい。これにより、選択履歴がない場合であっても、ユーザが興味を持ったシーンについて、時間間隔が短くなるように表示用静止画を表示することが可能となる。さらに。このマーカの記録を、選択履歴と組み合わせてもよい。つまり、マーカが記録された時間を示す時間情報を選択時間情報としてもよい。
【０１３８】
また、上述した実施の形態においては、選択履歴つまり「選択時間情報」は、動画の終端からの時間を示すとしたが、このような構成に限られない。「選択時間情報」は、動画の始端からの時間を示してもよい。また、「選択時間情報」は、動画の開始から終了までの時間のうち、どれくらいの割合が経過したかを示してもよい。
【０１３９】
また、上述した実施の形態においては、Ｓ１３２において選択された表示用静止画に関する時間情報に対応する選択時間情報について常に記録されるとしたが、このような構成に限られない。例えば、Ｓ１４０において動画が再生されてから、ユーザが再生を停止するまでの時間が予め定められた時間よりも短い場合に、ユーザが興味を示さなかったとして、このときの選択時間情報は削除されてもよい。
【０１４０】
また、上述した実施の形態において、「等間隔」という用語が使用されているが、用語「等間隔」は、厳密に等しい間隔のみに限定されるわけではない。例えば０．５秒等、人間が「等間隔である」と認識できる程度の時間のみ、間隔がずれている場合も、本発明においては、「等間隔」であるとする。
【０１４１】
また、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【０１４２】
１  動画撮像システム
１００  撮像装置
１５０  撮像処理部
１５４  撮像制御部
１５６  動画格納部
１５８  静止画抽出部
１７６  表示用静止画生成部
１７８  表示用静止画送信部
１８０  再生要求受信部
１８２  再生処理部
２００  情報処理端末
２０２  操作部
２０４  表示部
２５０  動画確認処理部
２５２  撮像開始指示部
２５４  撮像停止指示部
２５６  撮像時間受信部
２６０  取得位置決定部
２７０  表示用静止画要求部
２７２  表示用静止画取得部
２７４  一覧表示制御部
２７６  表示用静止画選択部
２７８  選択履歴記録部
２８０  再生要求部
２８２  再生処理部
【図１】
0006492783.tif 000002
【図２】
0006492783.tif 000003
【図３】
0006492783.tif 000004
【図４】
0006492783.tif 000005
【図５】
0006492783.tif 000006
【図６】
0006492783.tif 000007
【図７】
0006492783.tif 000008
【図８】
0006492783.tif 000009
【図９】
0006492783.tif 000010
【図１０】
0006492783.tif 000011
【図１１】
0006492783.tif 000012
【図１２】
0006492783.tif 000013
【図１３】
0006492783.tif 000014
【図１４】
0006492783.tif 000015
【図１５】
0006492783.tif 000016
【図１６】
0006492783.tif 000017
【図１７】
0006492783.tif 000018
【図１８】
0006492783.tif 000019
【図１９】
0006492783.tif 000020
【図２０】
0006492783.tif 000021